(57)【要約】【課題】所望画像の検索を確実に容易に実現する記録再生装置及び方法を提供する。【解決手段】入力された動画から検索用静止画を作成し、記録媒体上に動画と静止画をそれぞれ記録する。検索時は、検索用静止画を一括読み出して一覧表示し、ユーザが選択した静止画をもとに媒体から対応する動画を読み出し、検索画面に重ねて表示する。検索画面に静止画と動画を同時に表示することで、確実な検索を実現する。【選択図】  図１
2004193695.tif 000002
【特許請求の範囲】
【請求項１】
入力された動画データから検索用の静止画データを作成し、該動画データ及び静止画データを圧縮する圧縮手段と、
上記圧縮手段で圧縮された動画データと上記圧縮された静止画データを記録媒体上の動画記録領域と静止画記録領域にそれぞれ記録し、該記録媒体から圧縮された動画データ及び圧縮された静止画データを再生する記録再生手段と、
上記記録再生手段で再生された圧縮動画データ及び圧縮静止画データを伸長する伸長手段と、
上記伸長手段で伸長された動画データ及び静止画データを用いて動画サムネイル及び静止画サムネイルを作成し、それぞれ画面内の動画サムネイル表示領域と静止画サムネイル表示領域に割り当てた検索画面を作成する画面作成手段と、
上記画面作成手段にて作成した検索画面を表示する表示手段と、
上記検索画面上に表示された静止画サムネイルを選択すると、上記記録再生手段が該静止画サムネイルに対応する動画データを上記記録媒体から再生し、上記画面作成手段が上記動画サムネイルを作成し、該動画サムネイルを上記動画サムネイル表示領域に割り当てるように制御する制御手段と、
を備えることを特徴とする記録再生装置。
【請求項２】
入力された動画データから検索用の静止画データを作成する静止画データ作成部と該動画データ及び該静止画データを圧縮する圧縮部とを有する圧縮手段と、
上記圧縮手段で圧縮された動画データと上記圧縮された静止画データを記録媒体上の動画記録領域と静止画記録領域のそれぞれに記録し、該記録媒体から圧縮された動画データ及び圧縮された静止画データを再生する記録再生手段と、
上記記録再生手段で再生された圧縮動画データ及び圧縮静止画データを伸長する伸長手段と、
上記伸長手段にて伸長された静止画データを静止画サムネイル表示領域のサイズにスケーリングすることで静止画サムネイルを作成する第１のスケーラ部と、上記静止画サムネイルを用いて検索画面を作成する検索画面作成部と、該検索画面を保存しておくメモリと、上記伸長手段にて伸長された動画データを動画サムネイル表示領域のサイズにスケーリングすることで動画サムネイルを作成する第２のスケーラ部を有し、上記検索画面作成部は上記メモリに保存されている検索画面に上記動画サムネイルを併せて作成する画面作成手段と、
上記画面作成手段にて作成した検索画面を表示する表示手段と、
上記検索画面上に表示された静止画サムネイルを選択すると、上記記録再生手段が該静止画サムネイルに対応する動画データを上記記録媒体から再生し、伸張し、上記画面作成手段が上記動画サムネイルを作成し、該動画サムネイルを上記動画サムネイル表示領域に割り当てるように制御する制御手段と、
を備えることを特徴とする記録再生装置。
【請求項３】
請求項１又は２記載の記録再生装置において、
前記制御手段は、該静止画サムネイルに対応した動画サムネイルが表示手段に表示されている間に、前記記録再生手段に次に表示が予測される動画データを再生させ、前記画面作成部に動画サムネイルを作成させ、該動画サムネイルをメモリに保存させることを特徴とする記録再生装置。
【請求項４】
請求項１又は２記載の記録再生装置において、
前記圧縮手段は、前記静止画データを作成する際に、他の静止画データとの関連を示すリンク情報を付加し、
前記制御手段は、ユーザが前記静止画サムネイルの内の１つを選択すると、上記リンク情報に基き、該静止画サムネイルに関連付けられた静止画データを記録媒体から再生し、前記静止画サムネイル表示領域に表示させることを特徴とする記録再生装置。
【請求項５】
請求項１又は２記載の記録再生装置において、
前記制御手段は、前記表示手段に静止画サムネイルとユーザが選択した動画サムネイルが表示されている場合に、表示されている動画サムネイルの一画面が選択されると、前記圧縮伸張手段及び前記画面作成手段に、選択された一画面から新たな静止画サムネイルを作成させ、前記静止画表示領域に追加または該表示されている静止画サムネイルと置換させることを特徴とする記録再生装置。
【請求項６】
請求項１乃至５いずれか１項記載の記録再生装置において、前記静止画サムネイルは前記圧縮動画データの識別番号、格納アドレスを含むサムネイル識別番号を保持することを特徴とする記録再生装置。
【請求項７】
入力した動画データを用いて検索用の静止画データを作成し、該動画データを圧縮し、該圧縮動画データを記録媒体上の動画記録領域に記録し、該静止画データを圧縮し、該圧縮静止画データを記録媒体上の静止画記録領域に記録するステップと、
上記記録媒体から圧縮静止画データを再生し、伸張し、静止画サムネイルを作成し、該静止画サムネイルを検索画面の静止画サムネイル表示領域に表示するステップと、
上記静止画サムネイル表示領域に表示された静止画サムネイルを選択すると、上記記録媒体から該静止画サムネイルと関連付けられた圧縮動画データを再生し、伸張し、動画サムネイルを作成し、該動画サムネイルを上記検索画面の動画サムネイル表示領域に上記静止画サムネイルと併せて表示するステップとを設け、
上記静止画サムネイル表示領域と上記動画サムネイル表示領域は上記同一検索画面上の異なる領域で、上記静止画記録領域と上記動画記録領域は記録媒体上の異なる領域であることを特徴とする記録再生方法。
【請求項８】
請求項７記載の記録再生方法において、
前記動画サムネイルを前記静止画サムネイルと併せて表示している場合に、次に表示が予測される動画データを再生し、動画サムネイルを作成し、該動画サムネイルをメモリに保存させるステップを設けたことを特徴とする記録再生方法。
【請求項９】
請求項７記載の記録再生方法において、
前記静止画サムネイル表示領域に表示された静止画サムネイルを選択すると、該静止画サムネイルと関連付けられた他の静止画データを前記静止画記録領域から読み出し、伸張し、静止画サムネイルを作成し、該静止画サムネイルを上記検索画面の静止画サムネイル表示領域に表示することを特徴とする記録再生方法。
【請求項１０】
請求項７記載の記録再生方法において、
前記動画サムネイルと前記静止画サムネイルと併せて表示している場合に、表示されている動画サムネイルの一画面を選択されると、選択された一画面から新たな静止画サムネイルを作成し、前記静止画サムネイル表示領域に追加又は該表示されている静止画サムネイルと置換することを特徴とする記録再生方法。
【請求項１１】
請求項７乃至１０いずれか１項記載の記録再生方法において、前記記録媒体とは光ディスクであることを特徴とする記録再生方法。
【請求項１２】
請求項１乃至６いずれか１項記載の記録再生装置において、前記記録媒体とは光ディスクであることを特徴とする記録再生装置。
【請求項１３】
請求項１乃至６いずれか１項記載の記録再生装置は動画を撮影する撮影手段を備えたことを特徴とする記録再生装置。
【請求項１４】
請求項２乃至６のいずれか１項記載の記録再生装置において、
前記圧縮手段は入力された動画データから静止画データを作成する作成部と、前記動画データを圧縮する第１の圧縮部と、前記静止画データを圧縮する第２の圧縮部を有することを特徴とする記録再生装置。
【発明の詳細な説明】
【０００１】
【発明の属する技術分野】
本発明は、画像を記録媒体に記録し、記録媒体から所望の画像を検索して再生する記録再生装置及び方法に関する。
【０００２】
【従来の技術】
近年、大容量の記録媒体を搭載したデジタルビデオカメラなどで、ファイルサイズの大きい動画データを長時間また複数個記録できるようになった。しかし、長時間にわたる複数個の動画データを記録すると、再生時に、ユーザが所望の動画データを検索することが困難になる。
【０００３】
このような場合の検索法として、特許文献１には、各動画データの記録開始時に動画の先頭画像１フレーム分をメモリに蓄積し、蓄積された先頭画像から複数個の静止画サムネイルを作成し、ディスプレイに一覧表示する方法が開示されている。
【０００４】
また、特許文献２には、ディスプレイの画面領域を複数の小画面領域に分割し、動画情報を所定時間ごとに分割しインデックス画像として小画面領域に表示し、表示されたインデックス画像の中から所望の画像を指定すると、これに対応した動画情報を記録媒体から読み出して表示する装置と方法が開示されている。
【０００５】
【特許文献１】特開２００１−１１１９６３号公報
【特許文献２】特開平１０−３０４３０１号公報
【０００６】
【発明が解決しようとする課題】
上記特許文献１に開示されている方法では、変化が激しい動画においては、静止画サムネイルだけでは、所望の画像かどうか分からない場合がある。また、先頭画像が良く似ている場合には、先頭シーンのみで所望の画像を検索することは困難である。
【０００７】
また、上記特許文献２に開示されている方法では、動画はモーションＪＰＥＧ形式で圧縮して記録する。そのため、動画から静止画をキャプチャすることは容易にできるが、画像の容量が大きくなり、画質がＭＰＥＧより劣る等の課題がある。またインデックス画像を作成する際には、記録媒体に記録した全動画情報をシークするため時間がかかる。
【０００８】
本発明の目的は、確実に所望画像の検索を実現する記録再生装置及び方法を提供することにある。
【０００９】
【課題を解決するための手段】
前記目的は、特許請求の範囲記載の発明によって達成される。
【００１０】
すなわち、検索画面には動画と静止画を併せて表示することで、所望の画像を確実に検索することを可能にする。また、録画とほぼ同タイミングで静止画データを作成し、静止画データと動画データを記録媒体上の異なる記録領域に記録しているために、静止画データを再生時に改めて作成する必要がない。よって検索画面を作成するために、全動画データを読み出す必要がなく、検索画面作成に係る時間を大幅に短縮することができる。
【００１１】
【発明の実施の形態】
図１は本発明に係る記録再生装置の第１の実施形態を示すブロック図である。まず、各部の構成を説明する。
【００１２】
ＡＶ圧縮伸張部３２は、バッファ、コーデックから構成される。録画時には、撮影画像の入力等を行うカメラ部２４や外部入力部２２より転送されてきたディジタル量子化データ等をバッファに蓄積し、コーデックでＭＰＥＧ形式へのコード変換を行う。さらに、例えば録画開始時の先頭画像１フレーム分をサムネイルデータと共にバッファに一時保存し、静止画サムネイル作成に用いる。再生時には、記録媒体３６より再生されたＭＰＥＧデータをバッファに蓄積し、コーデックで動画データに伸張し、スケーラ部５２に転送する。なお、ＡＶ圧縮伸張部３２は、記録媒体から再生した静止画サムネイルデータの伸張処理を行うこともできる。また、カメラ部２４は外部接続としてもよい。
【００１３】
多重分離部３４は動画データから音声データを分離する。
【００１４】
記録再生インタフェース２６は、ＡＶ圧縮伸張部３２から送られた動画データ、静止画データ等を記録媒体３６に記録し、またこれらを媒体３６から再生する。媒体３６が光ディスクの場合は、書込読取部として光ヘッドやピックアップ等を有する。
【００１５】
記録媒体３６はランダムアクセス可能な記録媒体であり、例えば、ＤＶＤ−ＲＡＭなどの光ディスクである。この他にＨＤＤ、半導体メモリでも良い。そして記録媒体３６は、例えばＭＰＥＧ方式により圧縮された圧縮動画データ即ちＭＰＥＧデータを記録する動画データ記録領域３６１、静止画データを記録する静止画データ記録領域３６２、上記データの記録媒体上のアドレス等を示す管理情報を記録する管理情報記録領域３６３の３つの領域を有する。各動画データには１つの静止画データを対応させても良いし、複数の静止画データを対応させても良い。
【００１６】
スケーラ部５２は、再生時にＡＶ圧縮伸張部３２から転送されてきた動画データをテンプレート画像の動画サムネイル領域６２のサイズに合うようにスケーリングし、動画サムネイルを作成し、テンプレート作成部４０に転送する。
【００１７】
動画サムネイルとは、動画サムネイル表示領域６２で表示するためのデータであり、動画データを表示領域６２に合うようにスケーリングしたデータである。
【００１８】
システムコントロールマイコン４８は、記録媒体から再生した静止画サムネイルの伸張処理、スケーリングも行い、テンプレート作成部４０に転送する。なお静止画サムネイルの伸張処理は、ＡＶ圧縮伸張部３２にて行うこともできる。
【００１９】
静止画サムネイルとは、動画データの所定位置の画像を用いて作成された静止画データを縮小することによって作成された画像のことであり、少なくとも、映像ＩＤ、静止画サムネイル情報、関連情報を保持する。また、静止画データは、動画データの所定位置の画像を用いて作成されたものであり、例えば、上記記録媒体３６に、例えばＪＰＥＧ形式で記録されているデータのことをいう。映像ＩＤとは、どの動画データのサムネイルであるかを示すもので、静止画サムネイルの識別番号、対応するＭＰＥＧデータの格納アドレスを示す。関連情報とは、撮影日時等の情報である。
【００２０】
テンプレート作成部４０は、システムコントロールマイコン４８から転送されてきた静止画サムネイルを用いて、検索用のテンプレート画像を作成し、保存メモリ５４に保存する。更にスケーラ部５２から転送されてきた動画サムネイルをテンプレート画像に重ね合わせて、検索画面を作成し、表示部へ送出して表示する。
【００２１】
図２は、テンプレート画像の一例を示す。検索画面は、複数個の静止画サムネイル表示領域４０と、１個の動画サムネイル表示領域４２を設けて構成されている。
【００２２】
ＬＣＤ制御部４２又は外部出力制御部５６は、テンプレート作成部４０で作成された信号をＬＣＤ出力又は外部出力を適した形式、例えばＮＴＳＣ信号に変換し、ＬＣＤ表示パネル４６又は外部出力モニタ３８に送出する。
【００２３】
システムコントロールマイコン４８は、操作キー２８から入力された指示内容に応じて、記録再生インタフェース２６、テンプレート作成部４０を制御する。すなわち、選択された静止画サムネイルに対応する動画データを記録媒体から再生するように記録再生インタフェース２６を制御し、再生した動画データを検索画面に表示するようテンプレート作成部４０を制御する。
【００２４】
操作キー２８は、ユーザインタフェースであり、検索画面を選択したり、検索画面のテンプレート画像から所望の画像を選択したりするといったユーザの要求を装置に伝達するために用いる。例えば、タッチペンによる入力方式であっても良いし、ボタンによる入力方式であっても構わない。
【００２５】
図１０は、図１におけるＡＶ圧縮伸張部３２の内部構成を示す図である。カメラ部２４や外部入力２２によって、撮影、入力された動画データは、バッファ３２１に蓄積される。そして、動画データは、ＭＰＥＧコーデック３２２でＭＰＥＧ方式で圧縮され、バッファ３２３に蓄積される。ここでバッファ３２３に蓄積するのは、情報量の多いＭＰＥＧデータの記録媒体への書込みを高速にするためである。一方、バッファ３２１に蓄積されている動画データの先頭画像を映像ＩＤ及び関連情報と共にバッファ３２４に蓄積し、ＪＰＥＧコーデック３２５でＪＰＥＧ方式で圧縮し、圧縮された静止画データを作成する。なお、静止画データを作成するタイミングは、先頭画像でなくとも、例えばシーンチェンジのあった画像や、所定時間ごとの画像でも構わない。また、上記映像ＩＤ及び関連情報は記録媒体３６に記録する際に付加しても良い。
【００２６】
図６は、図１の記録再生装置の動作を示すフローチャートである。
【００２７】
ユーザが操作キー２８を介して、検索モードを選択すると、システムコントロールマイコン４８に通知される。そして、システムコントロールマイコン４８は記録再生インタフェース２６を介して、記録媒体３６の管理情報記録領域３６３にある管理情報にアクセスし、該管理情報に基づいて、静止画データ記録領域３６２にある静止画データを例えば撮影日時情報の順に読み出し（ステップ１０１）、システムコントロールマイコン４８に転送する。その後、テンプレート作成部４０に転送し、静止画サムネイルからなるテンプレート画像を作成し（ステップ１０２）、保存メモリ５４に蓄積し、外部出力制御部５６又はＬＣＤ制御部４２に転送して表示する。なお、ここで静止画サムネイルの配列は、撮影日時順でなくとも、例えば、ファイルサイズの大きい順等の条件であっても良い。
【００２８】
次に、ユーザがテンプレート画像から検索したい所望の静止画サムネイルを選択する（ステップ１０３）。図３はその選択の一例を示し、カーソル又はポインタ（以下カーソルと呼ぶ）を合せて決定する。テンプレート画像上の静止画サムネイルの映像ＩＤがシステムコントロールマイコン４８に通知される。そして、システムコントロールマイコン４８は記録再生インタフェース２６を介して、上記映像ＩＤに対応したＭＰＥＧデータを記録媒体３６の動画データ記録領域３６１から読み出し（ステップ１０４）、多重分離部３４に転送する。多重分離部３４では、転送されてきたＭＰＥＧデータから、音声データを分離する。ＭＰＥＧデータは、ＡＶ圧縮伸張部３２により動画データに伸張され、スケーラ部５２に転送される。
【００２９】
スケーラ部５２は動画データを図２に示す動画サムネイル表示領域６２に合うようにスケーリングして動画サムネイルとする。テンプレート作成部４０は、スケーリングされた動画サムネイルを、メモリ５４に保存している静止画サムネイルからなるテンプレート画像に重ね合わせ、動画サムネイルを出力する（ステップ１０５）。また、動画データの音声を再生したい場合は、多重分離部３４で分離された音声データをＡＶ圧縮伸張部３２により伸張し、動画データの再生に併せてスピーカ部５０より再生する。
【００３０】
領域６２に表示されている動画サムネイルがユーザが所望する動画データのものであれば、係る動画データを再生し、表示部に表示する（ステップ１０７）。また、ユーザの所望と異なる動画データのものであれば、他の静止画サムネイルを選択して再度検索し直す（ステップ１０６）。
【００３１】
本実施形態によれば、静止画サムネイルの貼付されたテンプレート画像をメモリに保存しておき、記録媒体から読み出し作成した動画サムネイルをテンプレート画像に重ねて表示することで、静止画と動画の両方を用いた画像検索を実現することができる。また、静止画サムネイルに対応する静止画データを記録媒体の専用の領域３６２に記録しているので、静止画サムネイルの作成を容易にし、即時的な画像検索を可能とする。
【００３２】
図４は、本発明の記録再生装置による検索画面の他の表示例を示すものである。近年のハイビジョン放送では、画面サイズが１６：９であるディスプレイが採用されている。このようなディスプレイに、従来の４：３の画像サイズの動画サムネイルを表示させる等、映像データのアスペクト比と、表示画面のアスペクト比が異なる際には、スケーラ部５２によって、図４のような表示を実現することも可能である。この例では、映像データの垂直方向を表示画面いっぱいに表示し、その映像データ全体のアスペクト比が正しくなるように、表示したものである。この際、静止画サムネイルは、動画サムネイル表示領域６２以外の領域に表示する。これより、記録したＭＰＥＧデータのアスペクト比と表示画面サイズが異なるときでも効果的に動画サムネイル画像を表示することができる。
【００３３】
図７は、本発明に係る記録再生方法の第２の実施形態を示すフローチャートであり、動画サムネイル表示領域６２において、静止画サムネイルの選択の切替に応じた動画の切替をスムーズに行うものである。ステップ２０１からステップ２０４までは、図６におけるステップ１０１からステップ１０４と同様である。
【００３４】
検索モード時おいて、動画サムネイル表示領域６２に選択した動画サムネイルが再生されている場合（ステップ２０５）に、ユーザがカーソルを動かして次に表示を所望する静止画サムネイルを選択する（ステップ２０６）。システムコントロールマイコンは、そのカーソルの示す静止画サムネイルの映像ＩＤに対応した動画データを記録媒体から並行して読み出し（ステップ２０７）、例えば保存メモリ５４に蓄積しておく。これより、次に表示する動画サムネイルを、間断なく即時的にディスプレイに表示させることができる。定量的には、例えば、ＤＶＤ−ＲＡＭを記録媒体３６として用いた場合、通常に動画データを読み出すのに約１秒かかるがこれを約０．１秒まで短縮することができる。
【００３５】
また、タッチペン等により静止画サムネイルを選択する場合は、カーソルが存在しない場合もあるので、そのような場合は、ディスプレイに表示されている静止画サムネイル全ての映像ＩＤの示す動画データの冒頭部分を予め保存メモリ部５４に蓄積しておくことで、即時的な再生を実現できる。
【００３６】
図８及び図１１は、本発明に係る記録再生方法の第３の実施形態を示すフローチャート及び説明図である。この実施形態では検索を階層的に行うものであり、静止画サムネイルは、映像ＩＤ、サムネイルデータ、関連情報のほかに、当該静止画サムネイルと関連する１つ下の階層の静止画サムネイルへのリンクやパス（以下リンク情報と呼ぶ）を保持している。当然、最下層の静止画サムネイルは下層へのリンク情報を持たない。
【００３７】
図１１は静止画間のリンク構成の一例を示すものである。各動画データの先頭画像の静止画１００１，１００７が第１階層であり、先頭画像の静止画１００１，１００７及びこれに挟まれた静止画１００３，１００５，１００９が第２階層となる。ここで、静止画１００１には静止画１００３，１００５へのリンクを、静止画１００７には静止画１００９へのリンクを、関連情報に含めて撮影中の静止画作成時に保持させる。さらに、静止画１００３は静止画１００４ａ、１００４ｂ、１００４ｃと第３階層の情報を持たせるようにしても良い。具体例としては、ユーザが静止画１００１に対応した静止画サムネイルを選択すると、動画サムネイル領域には該静止画１００１に対応した動画サムネイルが、静止画サムネイル領域には、静止画１００１，１００３，１００５に対応した静止画サムネイルが表示されるという手順及び表示になる。なお、リンクは各静止画のアドレス等、お互いを識別できるものであれば他の方式でも良い。
【００３８】
本実施形態における動作を図８を用いて説明する。前記したようにメモリに蓄積された静止画サムネイルの内、最上層の静止画サムネイルを基にテンプレート画像を作成し（ステップ３０２）、表示部に表示させる。
【００３９】
次に、ユーザがテンプレート画像から所望の静止画サムネイルにカーソル又はポインタ（以下カーソルと呼ぶ）を合せて決定すると（ステップ３０３）、テンプレート画像上の静止画サムネイルからリンク情報をたどって、第２階層の静止画サムネイルが表示される（ステップ３０４）。これを最下層まで上記動作を繰り返す（ステップ３０５）。
【００４０】
ここで、保存メモリ部５４には、全ての階層の静止画サムネイルを蓄積しておいても良いし、現在表示されている静止画サムネイルの階層のみ、または現在表示されている静止画サムネイルの階層とその下階層のみを蓄積しても良い。さらに、選んだ静止画サムネイルに対応した動画サムネイルを表示領域６２に表示させて同時に下階層の静止画サムネイルを表示領域６０に表示してもよい。
【００４１】
なお、どの階層であっても、動画サムネイル若しくは下の階層に存在する静止画サムネイル（最下層の場合は無し）の表示（ステップ３０４）を選択できるようにしてもよい。
【００４２】
本実施形態によれば、静止画サムレイル間のリンク情報を利用することで、効率良く所望の画像を得ることができる。
【００４３】
図９は、本発明に係る記録再生方法の第４の実施形態を示すフローチャートである。動画サムネイル表示領域６２にて動画サムネイルを再生している場合に、自由に動画サムネイルからユーザが所望する場面を抜き出して、静止画サムネイルを作成するものである。
【００４４】
テンプレート画像上で動画サムネイルを再生している場合（ステップ４０５）に、ユーザが代表画面に加えたい又は既存の静止画サムネイルと置換したいと所望する場面である時に（ステップ４０６）、操作キー２８によって、その旨をシステムコントロールマイコン４８に通知する。システムコントロールマイコンはＡＶ圧縮伸張部３２を制御し、ＡＶ圧縮伸張部３２内のバッファ３２１に蓄積されている動画データからフレーム画像を抜き出し、静止画サムネイル領域のサイズに合致するようにスケーリングを行い、静止画サムネイルとして保存メモリ５４に蓄積するように制御する（ステップ４０７）。保存メモリ５４に蓄積された静止画サムネイルはディスプレイに表示される（ステップ４０２）。
【００４５】
なお、この時点では静止画サムネイルは保存メモリ５４にしか蓄積されていないため、記録媒体には記録されていないが、ユーザが記録媒体への記録を所望する場合は当該静止画サムネイルを記録又は既存の静止画サムネイルと置換することができる。例えば、ＡＶ圧縮伸張部３２のバッファ３２１に蓄積されている動画データのフレーム画像をそのままバッファ３２４に転送して、ＪＰＥＧコーデックで圧縮し、記録媒体３６に記録する。
【００４６】
本実施形態によれば、ユーザは自分の所望する場面を代表画面として表示することができるので、その後の検索作業がより便利になる。
【００４７】
次に、図５は、本発明に係る記録再生装置の第５の実施形態を示すブロック図である。第１の実施形態と異なる点は、記録媒体上に、低レート動画記録領域３６４を設ける。この、低レート動画記録領域３６４には、例えばＩＳＯ／ＩＥＣ１４４９６に規定されているＭＰＥＧ４等の低解像度の動画を動画サムネイルとして記録しておいても良いし、動画のＰピクチャのみを動画サムネイルとして記録しておいても良い。この場合、記録中に低レート動画を作成しても良いし、記録終了後に作成しても良い。前者の場合、図５のように、第２のＡＶ圧縮伸張部３３を別途設ける。
【００４８】
本実施形態によれば、動画の画質を落として記録するため、データ容量が小さくなり、動画サムネイルの表示までの時間を短縮することができる。
【００４９】
上記以外の方法として、音声データのみで検索を行っても良い。これにより画像伸張処理、画像スケーリング処理等の負荷による消費電力を軽減することができる。さらに、音声のみで検索する場合と、画像と音声の両方を用いて検索することを選択可能にしてもよい。これにより、例えば、消費電力モードと高精度検索モードをユーザ側で選択可能になり、利便性が増す。
【００５０】
【発明の効果】
本発明によれば、確実に所望画像の検索を実現する記録再生装置及び方法を提供する。
【図面の簡単な説明】
【図１】本発明に係る記録再生装置の第１の実施形態を示すブロック図。
【図２】本発明における検索画面の一例を示す図。
【図３】本発明における検索画面の一例を示す図。
【図４】本発明における検索画面の一例を示す図。
【図５】本発明に係る記録再生装置の第５の実施形態を示すブロック図。
【図６】図１の記録再生装置の動作を示すフローチャート。
【図７】本発明に係る記録再生方法の第２の実施形態を示すフローチャート。
【図８】本発明に係る記録再生方法の第３の実施形態を示すフローチャート。
【図９】本発明に係る記録再生方法の第４の実施形態を示すフローチャート。
【図１０】図１におけるＡＶ圧縮伸張部の内部構成を示す図。
【図１１】図８における静止画間のリンク構成を示す図。
【符号の説明】
３２・・・ＡＶ圧縮伸張部
４０・・・テンプレート作成部
２６・・・記録再生インタフェース
４８・・・システムコントロールマイコン
５２・・・スケーラ部
【図１】
2004193695.tif 000003
【図２】
2004193695.tif 000004
【図３】
2004193695.tif 000005
【図４】
2004193695.tif 000006
【図５】
2004193695.tif 000007
【図６】
2004193695.tif 000008
【図７】
2004193695.tif 000009
【図８】
2004193695.tif 000010
【図９】
2004193695.tif 000011
【図１０】
2004193695.tif 000012
【図１１】
2004193695.tif 000013